(57)【要約】【課題】ファイルの冗長化の際にはＰＣと接続されるメディアと、冗長化されたファイルとを適切に管理できる装置を提供する。【解決手段】ファイルを保存するメディアドライブと接続するためのメディアドライブ接続手段へ接続されたメディアドライブにおけるメディアへメディアＩＤを付与するメディアＩＤ付与手順と、メディアドライブ接続手段を介してファイルを冗長化するためのファイル冗長化手順と、付与されたメディアＩＤをメディア管理データベースへ蓄積するメディアＩＤ蓄積手順と、冗長化する当該ファイルを特定するためのファイル情報を前記のファイル管理データベースへ蓄積するファイル情報蓄積手順と、当該ファイルが冗長化されたメディアを特定するためのメディアＩＤを前記のファイル情報へ紐付けるファイル情報紐付け手順と、をＰＣに実行させる。【選択図】図３
2017164263.tif 000002
【特許請求の範囲】
【請求項１】
ファイルを保存するメディア毎にユニークなメディアＩＤを割り当ててそのメディアＩＤを基準としてファイル管理およびメディア管理を実行するファイルおよびメディア管理装置であって、
ファイル管理のためのデータを格納するファイル管理データベースと、
メディア管理のためのデータを格納するメディア管理データベースと、
ファイルを保存するメディアドライブと接続するためのメディアドライブ接続手段へ接続されたメディアドライブにおけるメディアへメディアＩＤを付与するメディアＩＤ付与手段と、
前記のメディアドライブ接続手段を介してファイルを冗長化するためのファイル冗長化手段と、
を備え、
前記のメディア管理データベースは、前記のメディアＩＤ付与手段が付与したメディアＩＤを蓄積し、
前記のファイル冗長化手段がファイルを冗長化する場合には、当該ファイルを特定するためのファイル情報を前記のファイル管理データベースへ蓄積するとともに、
当該ファイルが冗長化されたメディアを特定するためのメディアＩＤを前記のファイル情報へ紐付けることとしたファイルおよびメディア管理装置。
【請求項２】
コードが予め付与されているメディアの当該コードを読み取るコードリーダを備え、
前記のメディアＩＤ付与手段は、前記のコードリーダが読み取ったコードがユニークであるか否かを前記のメディア管理データベースへアクセスして検証してからメディアＩＤを付与することとした請求項１に記載のファイルおよびメディア管理装置。
【請求項３】
前記のメディアＩＤをプリントするＩＤプリンタと接続されるプリンタ接続端子を備え、
前記のメディアＩＤ付与手段は、プリントすべきメディアＩＤを前記のプリンタ接続端子へ送信するとともに、
送信したメディアＩＤを前記メディア管理データベースへ蓄積することとした請求項１または請求項２のいずれかに記載のファイルおよびメディア管理装置。
【請求項４】
前記のメディアドライブ接続手段とは異なるドライブ接続手段を備え、
そのドライブ接続手段へ前記のファイル冗長化手段が冗長化する前のファイルを格納するデータ保存手段を接続することとした請求項１から請求項３のいずれかに記載のファイルおよびメディア管理装置。
【請求項５】
ファイルを保存するメディア毎にユニークなメディアＩＤを割り当ててそのメディアＩＤを基準としてファイル管理およびメディア管理を実行するファイルおよびメディア管理装置へインストールされるコンピュータプログラムであって、
ファイル管理のためのデータを格納するファイル管理データベースを構築するファイル管理データベース作成手順と、
メディア管理のためのデータを格納するメディア管理データベースを構築するメディア管理データベース作成手順と、
ファイルを保存するメディアドライブと接続するためのメディアドライブ接続手段へ接続されたメディアドライブにおけるメディアへメディアＩＤを付与するメディアＩＤ付与手順と、
前記のメディアドライブ接続手段を介してファイルを冗長化するためのファイル冗長化手順と、
前記のメディアＩＤ付与手順にて付与されたメディアＩＤをメディア管理データベースへ蓄積するメディアＩＤ蓄積手順と、
前記のファイル冗長化手順にてファイルを冗長化する場合に当該ファイルを特定するためのファイル情報を前記のファイル管理データベースへ蓄積するファイル情報蓄積手順と、
当該ファイルが冗長化されたメディアを特定するためのメディアＩＤを前記のファイル情報へ紐付けるファイル情報紐付け手順と、
をファイルおよびメディア管理装置に実行させることとしたコンピュータプログラム。
【請求項６】
コードが予め付与されているメディアの当該コードを読み取るコードリーダを前記のファイルおよびメディア管理装置が備えている場合において、
前記のメディアＩＤ付与手順は、前記のコードリーダが読み取ったコードがユニークであるか否かを前記のメディア管理データベースへアクセスして検証してからメディアＩＤを付与することとした請求項５に記載のコンピュータプログラム。
【請求項７】
前記のメディアＩＤをプリントするＩＤプリンタと接続されるプリンタ接続端子を前記のファイルおよびメディア管理装置が備えている場合において、
前記のメディアＩＤ付与手順は、プリントすべきメディアＩＤを前記のプリンタ接続端子へ送信するとともに、送信したメディアＩＤを前記メディア管理データベースへ蓄積することとした請求項５または請求項６のいずれかに記載のコンピュータプログラム。
【発明の詳細な説明】
【クロスリファレンス】
【０００１】
本出願は、２０１６年３月２４日に日本国において出願された特願２０１６−０５９８４６に基づき優先権を主張し、当該出願に記載された内容は、本明細書に援用する。また、本願において引用した特許、特許出願及び文献に記載された内容は、本明細書に援用する。
【技術分野】
【０００２】
本発明は、ファイルを記録したメディアの一元管理を実行するための技術に関する。
【背景技術】
【０００３】
情報化社会が進展し、保存を要請されるファイル（デジタルデータ）が増大している。映像を伴うファイルは特にデータ量が大きいのみならず、解像度の進歩によって飛躍的に増えている。パーソナルコンピュータ（ＰＣ）に蓄積されたファイルを外部へ取り出して保存する手法として一般的なのは、５００ギガバイト、１テラバイトなどのストレージメディアを当該ＰＣへ接続し、そのストレージメディアへデータを格納させる。
ファイルを保存したストレージメディアは、前記のＰＣとは接続を解除し、別途確保された物理的な空間にて、たとえば２０００枚、といった単位で保存されている。【０００４】
たとえば、特許文献１には、素材データがどのアーカイブメディアに記録されているかを、メディア毎に管理することを容易化するアーカイブ装置を備えたアーカイブシステムが開示されている。
アーカイブメディアをカテゴリまたはジャンル毎に容易に管理することができ、アーカイブメディアが故障しても他のアーカイブメディアから容易に複製することができる、といった特徴がある。
【先行技術文献】
【特許文献】
【０００５】
【特許文献１】特開２０１４−１６９３８号公報
【発明の概要】
【発明が解決しようとする課題】
【０００６】
保存されたファイルを再利用するためには、一般的には、ドライブキャラクタを用いて物理的な空間を特定し、多数のメディアから欲するファイルが格納されたメディアを特定しなければならない。メディアの中に複数のファイルが格納されている場合には、更に、そのファイルをも特定しなければならない。
換言すれば、ファイルの管理者は、ファイルの再利用が後に可能であるように、検索できるような保存方法を要求されることとなる。【０００７】
図１を用いて更に説明する。なお、図中、αはＡを、βはＢを意味する。
ストレージメディア（Α）へコピーまたは移動したいファイル（Ｙ、Ｚ）がＰＣのハードディスクに格納されているとする。その手順は、ストレージメディア（Α）をＰＣへ接続し（０）、初期設定をして（１）、ＰＣにおいてストレージメディア（Α）のドライブを指定し（２）、ファイルのコピーまたは移動を実行する（３）。
その後、ストレージメディア（Α）をＰＣから外すと、ＰＣには、どのメディアへどのファイルをコピーまたは移動したか、記録が残っていないのである。【０００８】
本発明が解決しようとする課題は、ファイルの冗長化の際にはＰＣと接続されるメディアと、冗長化されたファイルとを適切に管理できる技術を実現することにある。
【課題を解決するための手段】
【０００９】
上記の課題を解決するため、本願の発明者は、ＰＣに接続されるメディアに対して管理用のＩＤを付与するとともに、その管理用のＩＤを冗長化されたファイルの管理データベースにおいて紐付けするソフトウェアを案出した。【００１０】
（第一の発明）
第一の発明は、ファイルを保存するメディア毎にユニークなメディアＩＤを割り当て、そのメディアＩＤを基準としてファイル管理およびメディア管理を実行するファイルおよびメディア管理装置に係る。
ファイル管理のためのデータを格納するファイル管理データベースと、
メディア管理のためのデータを格納するメディア管理データベースと、
ファイルを保存するメディアドライブと接続するためのメディアドライブ接続手段へ接続されたメディアドライブにおけるメディアへメディアＩＤを付与するメディアＩＤ付与手段と、
前記のメディアドライブ接続手段を介してファイルを冗長化するためのファイル冗長化手段と、
を備える。
前記のメディア管理データベースは、前記のメディアＩＤ付与手段が付与したメディアＩＤを蓄積し、
前記のファイル冗長化手段がファイルを冗長化する場合には、当該ファイルを特定するためのファイル情報を前記のファイル管理データベースへ蓄積するとともに、
当該ファイルが冗長化されたメディアを特定するためのメディアＩＤを前記のファイル情報へ紐付けることとした（図３参照）。【００１１】
（用語説明）
「ファイル冗長化手段」における「冗長化」の趣旨は、メディアへファイルをコピーすることで当該ファイルのバックアップを作成する場合と、メディアへファイルを移動させることでファイルの移動元の記憶領域を増やす場合との両方を含むためである。
「メディアＩＤ」とは、メディアを一元的に管理するためのユニークな（唯一無二の）ＩＤである。
「ファイル情報」とは、たとえば、ファイルを特定するためのファイル名、そのファイルの最終保存日時、データサイズなどである。【００１２】
（作用）
本発明に係るファイルおよびメディア管理装置には、ファイル管理のためのデータを格納するファイル管理データベースと、メディア管理のためのデータを格納するメディア管理データベースとが予め構築されている。
ファイルを保存するメディア（Α，Β）およびそのメディア（Α，Β）へのファイル保存を実行するためのメディアドライブを準備したら、そのメディアドライブは、メディアドライブ接続手段へ接続する。すると、メディアドライブにセットされたメディア（Α，Β）に対し、メディアＩＤ付与手段がメディアＩＤを付与する。付与したメディアＩＤは、メディアＩＤデータベースへ格納される。
冗長化されるファイル（Ｙ，Ｚ）が指定されたら、冗長化すべきファイル（Ｙ，Ｚ）におけるファイル情報をファイル管理データベースへ蓄積する。この際、そのファイル情報には、メディアＩＤが紐付けされる。そして、ファイル（Ｙ，Ｚ）は、メディア（Α，Β）へ冗長化される。【００１３】
ファイルおよびメディア管理装置から消去されるなどして、当該ファイルおよびメディア管理装置には残っていないファイル（たとえばＹ）が、どのメディアに残っているかを検索する場合、以下のような操作をすることとなる。
すなわち、ファイル（Ｙ）のファイル名を、ファイルおよびメディア管理装置にて検索する。検索のために入力されたファイル名は、ファイル管理データベースへ蓄積されているので、ヒットする。そして、そのファイル管理データベースへ蓄積されているファイル情報には、メディアＩＤが紐付けされているので、そのメディアＩＤを手がかりとすれば、どのメディア（たとえばΑ，Β）にファイル（Ｙ）が格納されているか、を知ることができる。【００１４】
（第一の発明のバリエーション１）
第一の発明は、以下のように形成してもよい。
すなわち、コード（たとえばバーコード）が予め付与されているメディアの当該コードを読み取るコードリーダ（たとえばバーコードリーダ）を備える。
前記のメディアＩＤ付与手段は、前記のコードリーダが読み取ったコードがユニークであるか否かを前記のメディア管理データベースへアクセスして検証してからメディアＩＤを付与することとしてもよい（図５参照）。【００１５】
（作用）
ファイルを冗長化するためのメディアにコードが付与されている場合、コードリーダを用いて、そのコードを読み取る。そして、読み取ったコードがユニークであるか否かをディア管理データベースへアクセスして検証する。
その検証結果に基づいて、ユニークなメディアＩＤをそのメディアに付与し、メディア管理データベースにて管理する。【００１６】
ファイル保存用として同種類のメディアを用意し、そのメディアに対して個別のＩＤを発行し、コードとして付与している場合がある。
このような場合に、メディアＩＤがユニークであることを検証し、データの一元性を確保する（図６参照）。【００１７】
（第一の発明のバリエーション２）
第一の発明は、以下のように形成してもよい。
すなわち、前記のメディアＩＤをプリントするＩＤプリンタ（バーコードプリンタ）と接続されるプリンタ接続端子を備える。
そして、前記のメディアＩＤ付与手段は、プリントすべきメディアＩＤを前記のプリンタ接続端子へ送信するとともに、送信したメディアＩＤを前記メディア管理データベースへ蓄積することとしてもよい（図７参照）。【００１８】
（第一の発明のバリエーション３）
第一の発明は、以下のように形成してもよい。
すなわち、前記のメディアドライブ接続手段（Ｂ）とは異なるドライブ接続手段（Ａ）を備える。
そして、そのドライブ接続手段（Ａ）へ前記のファイル冗長化手段が冗長化する前のファイル（Ｙ，Ｚ）を格納するデータ保存手段を接続することとしてもよい（図８参照）。【００１９】
（作用）
冗長化の対象となるファイルが、ファイルおよびメディア管理装置とは異なる装置やメディアに格納されている場合であっても、冗長化し、且つ管理することができる。【００２０】
（第二の発明）
第二の発明は、ファイルを保存するメディア毎にユニークなメディアＩＤを割り当ててそのメディアＩＤを基準としてファイル管理およびメディア管理を実行するファイルおよびメディア管理装置へインストールされるコンピュータプログラムに係る。
そのコンピュータプログラムは、ファイル管理のためのデータを格納するファイル管理データベースを構築するファイル管理データベース作成手順と、
メディア管理のためのデータを格納するメディア管理データベースを構築するメディア管理データベース作成手順と、
ファイルを保存するメディアドライブと接続するためのメディアドライブ接続手段へ接続されたメディアドライブにおけるメディアへメディアＩＤを付与するメディアＩＤ付与手順と、
前記のメディアドライブ接続手段を介してファイルを冗長化するためのファイル冗長化手順と、
前記のメディアＩＤ付与手順にて付与されたメディアＩＤをメディア管理データベースへ蓄積するメディアＩＤ蓄積手順と、
前記のファイル冗長化手順にてファイルを冗長化する場合に当該ファイルを特定するためのファイル情報を前記のファイル管理データベースへ蓄積するファイル情報蓄積手順と、
当該ファイルが冗長化されたメディアを特定するためのメディアＩＤを前記のファイル情報へ紐付けるファイル情報紐付け手順と、
をファイルおよびメディア管理装置に実行させることとしたコンピュータプログラムである。【００２１】
（第二の発明のバリエーション１）
第二の発明は、以下のように形成してもよい。
すなわち、コードが予め付与されているメディアの当該コードを読み取るコードリーダを前記のファイルおよびメディア管理装置が備えている場合において、
前記のメディアＩＤ付与手順は、前記のコードリーダが読み取ったコードがユニークであるか否かを前記のメディア管理データベースへアクセスして検証してからメディアＩＤを付与することとしてもよい。【００２２】
（第二の発明のバリエーション２）
第二の発明は、以下のように形成してもよい。
すなわち、前記のメディアＩＤをプリントするＩＤプリンタと接続されるプリンタ接続端子を前記のファイルおよびメディア管理装置が備えている場合において、
前記のメディアＩＤ付与手順は、プリントすべきメディアＩＤを前記のプリンタ接続端子へ送信するとともに、送信したメディアＩＤを前記メディア管理データベースへ蓄積することとしてもよい。【００２３】
（第二の発明の提供形態）
第二の発明に係るコンピュータプログラムは、記録媒体へ格納して提供することもできる。また、通信回線を介して提供することもできる。
ここで、「記録媒体」とは、それ自身では空間を占有し得ないコンピュータプログラムを担持することができる媒体であり、例えば、ハードディスク、ＣＤ−Ｒ、ＤＶＤ−Ｒ、などである。
【発明の効果】
【００２４】
第一の発明によれば、ファイルの冗長化の際にはＰＣと接続されるメディアと、冗長化されたファイルとを適切に管理できる装置を提供することができた。第二の発明によれば、ファイルの冗長化の際にはＰＣと接続されるメディアと、冗長化されたファイルとを適切に管理できるコンピュータプログラムを提供することができた。
【図面の簡単な説明】
【００２５】
【図１】従来技術の問題点を概念的に示した図である。
【図２】本願発明の技術概要を概念的に示した図である。
【図３】本発明の第一の実施形態を示すブロック図である。
【図４】本発明の第二の実施形態を示すブロック図である。
【図５】本発明の第三の実施形態を示すブロック図である。
【図６】本発明の第三の実施形態において使用されるフローチャートである。
【図７】本発明の第四の実施形態を示すブロック図である。
【図８】本発明の第五の実施形態を示すブロック図である。
【図９】第二の発明を実現したコンピュータプログラムをコンピュータ上で操作する場合を説明するためのフローチャートである。
【図１０】第二の発明を実現したコンピュータプログラムの実施形態におけるログイン画面を示す。
【図１１】実施形態におけるメニュー画面を示す。
【図１２】実施形態における初期設定画面を示す。
【図１３】実施形態におけるアーカイブ情報取込画面を示す。
【図１４】実施形態におけるアーカイブ情報を読み込んだ画面の一例を示す。
【図１５】実施形態における検索画面を示す。
【図１６】ファイル情報を検索した結果画面の一例を示す。
【図１７】メディア情報を検索した結果画面の一例を示す。
【符号の説明】
【００２６】
Α；ストレージメディア（ＬＴＯ装置）      Β；ストレージメディア（ＤＶＤ）
Ａ；ドライブキャラクタ                    Ｂ；ドライブキャラクタ
Ｙ；冗長化されるファイル                  Ｚ；冗長化されるファイル
【発明を実施するための形態】
【００２７】
以下、本発明を、いくつかの実施形態および図面に基づいて更に詳しく説明する。ここで使用する図面は、図２から図１７である。図２において、本発明の概要を説明し、図３から図８にて第一から第五の実施形態を説明する。図９では、実際のコンピュータプログラムのフローチャートを示し、図１０以降では、コンピュータプログラムを実行した場合の画面出力を示している。
【００２８】
（図２）
図２では、図１と対比させつつ本発明の概要を説明している。
ＰＣ（パーソナルコンピュータ）に内蔵されたハードディスク内にコピー（または移動）したいファイル（Ｙ，Ｚ）が格納されており、そのＰＣにはストレージメディア（Α，Β）が接続されている（０）。
ストレージメディアΑは、ＬＴＯ装置であり、ストレージメディアΒは、ＤＶＤプレーヤにおいてドライブ可能となっているＤＶＤ−Ｒである。
ストレージメディア（Α，Β）がＰＣへ接続され、初期設定が完了したら（１）、ストレージメディア（Α，Β）に管理用ＩＤ（メディアＩＤ）を付与し、データベースへその旨を保存する（２）。
続いて、ファイルのコピー（または移動）を実行する（３）。ここでは、ファイル（Ｙ）をストレージメディア（Α）へ、ファイル（Ｚ）をストレージメディア（Β）へコピー（または移動）したとする。コピー（または移動）が完了したら、ＰＣからストレージメディア（Α，Β）を外す。
【００２９】
本発明では、ＰＣ内にメディア管理データベース（図中では「ＤＢ」と略記。以下同じ）、およびファイル管理データベースが構築されており、どのメディア（Α，Β）へどのファイルをいつコピー（または移動）したか、が記録されている。したがって、ＰＣからストレージメディア（Α，Β）が外されている状態でも、ファイルの検索（物理的な保管場所の検索）が可能となる。
【００３０】
（図３）
図３は、図２にて説明したハードウェアについて、機能（手段）に分解してブロック図として表現したものである。
ＰＣのメディアドライブ接続端子には、ＬＴＯ装置（ストレージメディアΑ）と、ストレージメディア（Β）であるＤＶＤ−Ｒをドライブ可能としたＤＶＤドライブとが接続されている。
ＰＣへ接続されたストレージメディア（Α，Β）に対して、ファイルのコピーまたは移動が可能であるように、メディアをフォーマットするなどについては、初期設定手段が実行し、その初期設定データについては、データ記憶手段たるハードディスクに構築された初期設定データベースへ格納される。
【００３１】
初期設定が終了したら、メディア判定手段が接続されたメディアの種類を判定するとともに、メディアＩＤ付与手段が、メディア毎にユニーク（唯一無二）なメディアＩＤを付与する。このメディアＩＤは、ハードディスクに構築されたメディア管理データベースへ格納される。
【００３２】
ＰＣの操作者は、コピーまたは移動（以下、「冗長化」）したいファイル（Ｙ，Ｚ）を指定し、それらのファイル（Ｙ，Ｚ）をどのメディア（Α，Β）へ冗長化するかを指定することとなる。ＰＣの操作者がファイル冗長化を実行すると（ファイル冗長化手段を作動させると）、メディア情報記録手段がメディアＩＤをメディア管理データベースへ格納する。また、ファイル情報記録手段が、ファイル名などのファイルデータおよびそれに紐づけられたメディアＩＤがファイル管理データベースへ格納する。
ファイル（Ｙ）をメディア（Α）へ、ファイル（Ｚ）をメディア（Β）へ、それぞれ冗長化した旨は、メディア管理データベースおよびファイル管理データベースに保存されることとなる。
【００３３】
この処理が済んで、ＬＴＯ装置やＤＶＤドライブがＰＣから取り外された後、ファイル（Ｙ）がどのメディアへ冗長化されたか、を検索したい場合、ファイル管理データベースの記録によって特定できる。
また、メディア（Β）にどのファイルを冗長化したか、を検索したい場合、メディア管理データベースおよびファイル管理データベースの記録によって特定できる。
従来技術（図１）では、ＰＣに接続されていないメディアドライブへのファイル検索は行えなかった。
図３およびこれ以降の図における各種手段、例えば、初期設定手段、メディアＩＤ付与手段、メディア判定手段およびファイル冗長化手段（メディア情報記録手段、ファイル情報記録手段）の各処理は、ハードウェアとしての中央処理装置（ＣＰＵ）とコンピュータプログラムとの協働によって実行される。初期設定手段、メディアＩＤ付与手段、メディア判定手段およびファイル冗長化手段（メディア情報記録手段、ファイル情報記録手段）は、コンピュータプログラムを読み込んで各種機能を実行する各種構成部と位置付けることもできる。また、データ記憶手段および管理ＤＢ記憶手段は、ハードウェアとしてのメモリに相当する。当該メモリは、ＲＡＭ、ＨＤＤ、フラッシュメモリ、ＭＤ等の如何なる形態のものでも良い。また、データ記憶手段および管理ＤＢ記憶手段は、読み出し専用のメモリで足る場合には、ＲＯＭでも良い。
【００３４】
（図４）
図４に示す実施形態は、図３と、外観上は変わらない。
図３に示した実施形態では、ＰＣ内のハードディスクへ、各種のデータベースと、冗長化の対象となるファイルとが渾然と格納されていた。図４に示した実施形態では、ＰＣのハードディスク内にパーティションを設定し、管理データベース記憶手段と、データ記憶手段とに分けている。
それ以外の相違点はないので、詳細な説明を省略する。
【００３５】
（図５、図６）
図５は、ストレージメディアΒであるＤＶＤ−Ｒのケースにコード（この実施形態ではバーコード）が付されており、そのコードをメディアＩＤとして流用しようという場合の実施形態である。
ＰＣには、バーコードリーダが接続されており、そのバーコードリーダが読み取ったバーコードを、メディアＩＤとして使えるか否かを、メディアＩＤ付与手段がメディア管理データベースを用いて検証する。この検証のアルゴリズムは、図６に示している。
【００３６】
まず、メディアにバーコードが付いているかをＰＣの操作者が判断し、付いていればバーコードリーダを使ってそのバーコードを読み取る。
読み取られたバーコードと、メディア管理データベースにアクセスし、メディアＩＤとして既に使われているものが存在するかどうか、を検証する。既に使われているものが存在しないのであれば、読み取ったバーコードをメディアＩＤとして付与する。
存在する場合には、メディアＩＤ付与手段が、ユニークなＩＤを付与する。
【００３７】
（図７）
図７に示す実施形態は、メディアＩＤを予めメディア毎に発行しておく場合を示している。すなわち、ファイルを格納するメディア（この実施形態ではＤＶＤ―Ｒ）のケース（ＤＶＤケース）へ予め付与しておくバーコードをシール台紙へ印刷するバーコードプリンタを、プリンタ接続端子を介してＰＣへ接続している。
メディアＩＤ付与手段は、メディア管理データベースにおいてまだ使われていないユニークなＩＤが印刷できるデジタルデータを、プリンタ接続端子を介してバーコードプリンタへ送る。バーコードプリンタにおいては、シール台紙へバーコードを印刷する。そのシール台紙からバーコードを剥離し、ＤＶＤケースへ貼付する。
【００３８】
バーコードが貼付されたＤＶＤケースからＤＶＤ―Ｒを取り出し、ＤＶＤドライブへセットしたら、ＤＶＤケースのバーコードをＰＣへ接続されたバーコードリーダで読み取る。読み取ったバーコードはメディアＩＤであるので、そのＤＶＤへ冗長化するファイルについては、そのメディアＩＤを用いて管理すればよい。
【００３９】
（図８）
図８に示す実施形態は、冗長化したいファイル（Ｙ，Ｚ）を格納したデータ記憶手段が、ＰＣとは別のメディアである場合を示している。
すなわち、ＰＣには、メディアドライブ接続端子が複数存在し、一つ目のメディアドライブ接続端子Ａには、冗長化したいファイルを格納したデータ記憶手段を接続する。もう一つのメディアドライブ接続端子Ａには、冗長化されるストレージメディア（Α）が接続される。
メディアドライブ接続端子Ａに接続されたデータ記憶手段に格納されたファイル（Ｙ，Ｚ）におけるファイル情報は、メディアドライブ端子Ａを介するものの、ＰＣの管理データベース記憶手段へ構築されたファイル管理データベースへ格納される。
この実施形態によれば、ＰＣ内に格納されていないファイルであっても、冗長化およびその管理が行える。
【００４０】
（図９）
図９は、本発明に係るコンピュータプログラム（通称「大宝恵」登録商標）をインストールすることによってファイルおよびメディア管理装置となったＰＣが、そのコンピュータプログラムを使用する場合のフローチャートである。
起動したらまず、多重起動をしていないかをチェックする。多重起動していた場合には、エラーメッセージを発して終了する。
【００４１】
多重起動をしていない場合には、エディション判定を実行する。このコンピュータプログラムでは、ファイルを冗長化するメディアとしてＬＴＯ装置が選択された場合に便利であるように作成されている。ＴＹＰＥＡはＬＴＯ装置であり、ＬＴＯ装置ではない場合にはＴＹＰＥＢとなる。
【００４２】
次に、初期設定情報の有無を判断する。初期設定情報がない場合には、ＴＹＰＥＡであれば、ＬＴＯ装置の接続状態を確認する。未接続であれば、エラーメッセージを発して終了するが、接続されている場合には初期設定画面に移る。ＴＹＰＥＢであれば、初期設定画面に移る。
初期設定画面において、初期設定情報が入力されれば、その初期設定情報は初期設定データベースへ格納するとともに、メニュー画面へ移る。
【００４３】
初期設定情報がある場合には、ログイン画面に移り、更にメニュー画面へ移る。メニュー画面からの各操作は、他の図面を用いて説明するが、ＴＹＰＥＡのＬＴＯ装置が接続状態である場合を、このフローチャートでは示している。
すなわち、ＬＴＯ装置が接続状態であれば、アーカイブ情報の取込画面（図１３）へ移る。この画面を用いて、ファイル名などを指定すれば、ファイル情報をファイル管理データベースから読み出すことができる。
【００４４】
メニュー画面において、「検索」ボタンをクリックすれば、検索画面（図１６，１７）へ移り、各種の検索が実行できる。
メニュー画面において、「終了」ボタンをクリックすると、初期設定データベース、メディア管理データベース、ファイル管理データベースを複製（バックアップ）し、終了する。
【００４５】
（図１０）
図１０は、本発明に係るコンピュータプログラムの実施形態におけるログイン画面である。ファイルをコピーしたメディアは、棚に並べて補完されるので、「メディア棚管理ソフト」と通称している。
図１０で示されているように、ユーザＩＤとパスワードとを入力したユーザが、ログインすることができる。
【００４６】
（図１１）
図１１は、メニュー画面を示す。
メニューとしては、アーカイブ情報取込、検索、初期設定、終了のボタンが用意されている。
【００４７】
（図１２）
図１２は、メニュー画面において「初期設定」のボタンをクリックした場合に現れる初期設定画面である。
「ＵＳＥＲＩＤ」のウィンドウには、ログインしたユーザ名が表示され、「最終更新日時」のウィンドウには、このメディア棚管理ソフトを用いてファイルおよびメディア管理を実行した最新の日時が表示される。
「ＵＳＥＲＩＤとＰＡＳＳＷＯＲＤを変更」のボタンをクリックすれば、ログインの際に用いるユーザＩＤおよび／またはパスワードを変更できる。
【００４８】
「データバックアップ」のウィンドウには、このソフトウェアがインストールされたＰＣにおける記憶手段のドライブキャラクタおよびそのバックアップ用データベースの位置が表示されている。ただし、そのウィンドウの右にある「参照」ボタンをクリックすれば、メディアドライブ接続端子に接続されたドライブキャラクタを選択することもできる。
「ドライブレター」のウィンドウには、このＰＣのオペレーティングシステム（ＯＳ）が割り当てたキャラクタ（「Ｃ」、「Ｄ」など）が選択できる。
【００４９】
（図１３）
図１３は、メニュー画面において「アーカイブ情報取込」のボタンをクリックした場合に現れるアーカイブ情報取込画面を示す。メディア内のファイル情報をデータベースに反映する機能を果たす。メディア単位でのコメントを入力可能であり、その内容はデータベースに反映させることができる。
【００５０】
「バーコード／管理番号」のウィンドウには、メディアやメディアケースに貼付されたバーコードの番号、または管理ＩＤとして割り当てられた管理番号を入力する。メディアドライブ接続端子に接続されたメディアドライブがあれば、そのメディアドライブに係るメディアのメディア管理ＩＤは、このウィンドウへ自動的に読み込まれる。
【００５１】
画面右上の「アーカイブ情報取込」のボタンをクリックした場合には、メディアからのメディア情報の取込処理が実行される。
画面下における左の「アーカイブ情報登録」のボタンをクリックした場合には、この画面にて入力したコメントなどの情報を含んで、データベースが更新される。
画面下における中央付近の「ＣＳＶ出力」のボタンをクリックした場合には、メディアからのメディア情報がＣＳＶ形式にて出力可能である。
【００５２】
（図１４）
図１４は、実施形態におけるアーカイブ情報を読み込んだ画面の一例を示している。
画面の中央から下には、指定されたドライブレターに係るメディアへ格納されているファイルに関する情報が表示されている。
ファイル名、更新日時、データサイズが表形式で出力される。
【００５３】
（図１５）
図１５は、メニュー画面において「検索」のボタンをクリックした場合に現れる検索画面を示す。データベースに登録されたアーカイブ情報（メディア）の検索を実行するための画面である。
画面の上に配置された複数のウィンドウへ各条件を入力し、画面の中央右に配置された「検索」のボタンをクリックすると、入力された条件からファイル管理データベースおよび／またはメディア管理データベースを検索し、検索結果を画面の下へ表示する。
【００５４】
（図１６）
図１６は、図１５の画面において検索条件を入力した後に、「検索」のボタンをクリックしたファイル検索の結果を例示している。
バーコード／管理番号、ボリュームラベル、メディア種別、取込日時、コメント、ファイル名、更新日時、データサイズ、などが画面の下半分へ一覧表示される。
なお、画面下の「ＣＳＶ出力」のボタンをクリックした場合には、ＣＳＶ形式にて出力可能である。
【００５５】
（図１７）
図１７は、メディア情報を検索した結果を例示したものである。
バーコード／管理番号、ボリュームラベル、メディア種別、取込日時、コメントなどが画面の下半分へ一覧表示される。
この一覧表示についても、画面下の「ＣＳＶ出力」のボタンをクリックした場合には、ＣＳＶ形式にて出力可能である。
【００５６】
前述してきた実施形態によれば、ファイルを冗長化したストレージメディア（Α）をＰＣから外しても、そのＰＣには、どのメディアへどのファイルをいつ冗長化したか、記録が残っているので、ファイルおよびメディアの管理や検索に重宝する。
【００５７】
この実施形態に係るコンピュータプログラムは、サーバから、インターネット等の通信網を通じてクライアント端末にインストール可能であると共に、ＣＤ−Ｒ、ＤＶＤ、ＭＤ、ＦＤ、フラッシュメモリ等に代表される情報記録媒体に格納して流通可能である。クライアントは、当該情報記録媒体を介して、クライアント端末に上記コンピュータプログラムをインストール可能である。ここで、情報記録媒体は、非一時的な記録媒体を意味する。
【００５８】
この結果、本発明の実施形態に係る情報記録媒体は、ファイルを保存するメディア毎にユニークなメディアＩＤを割り当ててそのメディアＩＤを基準としてファイル管理およびメディア管理を実行するファイルおよびメディア管理装置へインストールされるコンピュータプログラムを格納した媒体であって、ファイル管理のためのデータを格納するファイル管理データベースを構築するファイル管理データベース作成手順と、メディア管理のためのデータを格納するメディア管理データベースを構築するメディア管理データベース作成手順と、ファイルを保存するメディアドライブと接続するためのメディアドライブ接続手段へ接続されたメディアドライブにおけるメディアへメディアＩＤを付与するメディアＩＤ付与手順と、前記のメディアドライブ接続手段を介してファイルを冗長化するためのファイル冗長化手順と、前記のメディアＩＤ付与手順にて付与されたメディアＩＤをメディア管理データベースへ蓄積するメディアＩＤ蓄積手順と、前記のファイル冗長化手順にてファイルを冗長化する場合に当該ファイルを特定するためのファイル情報を前記のファイル管理データベースへ蓄積するファイル情報蓄積手順と、当該ファイルが冗長化されたメディアを特定するためのメディアＩＤを前記のファイル情報へ紐付けるファイル情報紐付け手順と、をファイルおよびメディア管理装置に実行させることとしたコンピュータプログラムを格納した情報記録媒体となる。
【００５９】
また、本発明の別の実施形態に係る情報記録媒体は、上記コンピュータプログラムに加え、コードが予め付与されているメディアの当該コードを読み取るコードリーダを前記のファイルおよびメディア管理装置が備えている場合において、前記のメディアＩＤ付与手順は、前記のコードリーダが読み取ったコードがユニークであるか否かを前記のメディア管理データベースへアクセスして検証してからメディアＩＤを付与することとしたコンピュータプログラムを格納した情報記録媒体となる。
【００６０】
また、本発明の別の実施形態に係る情報記録媒体は、上記いずれかのコンピュータプログラムに加え、前記のメディアＩＤをプリントするＩＤプリンタと接続されるプリンタ接続端子を前記のファイルおよびメディア管理装置が備えている場合において、前記のメディアＩＤ付与手順は、プリントすべきメディアＩＤを前記のプリンタ接続端子へ送信するとともに、送信したメディアＩＤを前記メディア管理データベースへ蓄積することとしたコンピュータプログラムを格納した情報記録媒体となる。
【産業上の利用可能性】
【００６１】
本発明は、ソフトウェア作成業、ファイル管理サービス業、情報通信サービス業などにおいて利用可能性を有する。
【図１】
2017164263.tif 000003
【図２】
2017164263.tif 000004
【図３】
2017164263.tif 000005
【図４】
2017164263.tif 000006
【図５】
2017164263.tif 000007
【図６】
2017164263.tif 000008
【図７】
2017164263.tif 000009
【図８】
2017164263.tif 000010
【図９】
2017164263.tif 000011
【図１０】
2017164263.tif 000012
【図１１】
2017164263.tif 000013
【図１２】
2017164263.tif 000014
【図１３】
2017164263.tif 000015
【図１４】
2017164263.tif 000016
【図１５】
2017164263.tif 000017
【図１６】
2017164263.tif 000018
【図１７】
2017164263.tif 000019
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
ファイルを保存するメディア毎にユニークなメディアＩＤを割り当ててそのメディアＩＤを基準としてファイル管理およびメディア管理を実行するファイルおよびメディア管理装置であって、
ファイル管理のためのデータを格納するファイル管理データベースと、
メディア管理のためのデータを格納するメディア管理データベースと、
ファイルを保存するメディアドライブを前記のメディア管理装置とは別体とするとともに、そのメディアドライブと接続するためのメディアドライブ接続手段と、
そのメディアドライブ接続手段へ接続されたメディアドライブにおけるメディアへユニークなメディアＩＤを付与するメディアＩＤ付与手段と、
前記のメディアドライブ接続手段へ接続されたメディアドライブの種別を判断するメディア判定手段と、
前記のメディアドライブ接続手段を介してファイルを冗長化するためのファイル冗長化手段と、
を備え、
前記のメディア管理データベースは、前記のメディアＩＤ付与手段が付与したメディアＩＤおよび前記のメディア判定手段が判断したメディアドライブの種別を蓄積し、
前記のファイル冗長化手段は、ファイルを冗長化する場合において、当該ファイルを特定するためのファイル情報を前記のファイル管理データベースへ蓄積するとともに、
当該ファイルが冗長化されたメディアを特定するためのメディアＩＤを前記のファイル情報へ紐付けることとしたファイルおよびメディア管理装置。
【請求項２】
コードが予め付与されているメディアの当該コードを読み取るコードリーダを備え、
前記のメディアＩＤ付与手段は、前記のコードリーダが読み取ったコードがユニークであるか否かを前記のメディア管理データベースへアクセスして検証してからメディアＩＤを付与することとした請求項１に記載のファイルおよびメディア管理装置。
【請求項３】
前記のメディアＩＤをプリントするＩＤプリンタと接続されるプリンタ接続端子を備え、
前記のメディアＩＤ付与手段は、プリントすべきメディアＩＤを前記のプリンタ接続端子へ送信するとともに、
送信したメディアＩＤを前記メディア管理データベースへ蓄積することとした請求項１または請求項２のいずれかに記載のファイルおよびメディア管理装置。
【請求項４】
前記のメディアドライブ接続手段とは異なるドライブ接続手段を備え、
そのドライブ接続手段へ前記のファイル冗長化手段が冗長化する前のファイルを格納するデータ保存手段を接続することとした請求項１から請求項３のいずれかに記載のファイルおよびメディア管理装置。
【請求項５】
ファイルを保存するメディア毎にユニークなメディアＩＤを割り当ててそのメディアＩＤを基準としてファイル管理およびメディア管理を実行するファイルおよびメディア管理装置へインストールされるコンピュータプログラムであって、
前記のファイルおよびメディア管理装置には、ファイルを保存するメディアドライブを前記のメディア管理装置とは別体とするとともに、そのメディアドライブと接続するためのメディアドライブ接続手段と、そのメディアドライブ接続手段へ接続されたメディアドライブの種別を判断するメディア判定手段と、を備え、
ファイル管理のためのデータを格納するファイル管理データベースを構築するファイル管理データベース作成手順と、
メディア管理のためのデータを格納するメディア管理データベースを構築するメディア管理データベース作成手順と、
ファイルを保存するメディアドライブを前記のメディア管理装置とは別体とするとともに、そのメディアドライブと接続するためのメディアドライブ接続手順と、
前記のメディアドライブ接続手段へ接続されたメディアドライブにおけるメディアへメディアＩＤを付与するメディアＩＤ付与手順と、
前記のメディアドライブ接続手段を介してファイルを冗長化するためのファイル冗長化手順と、
前記のメディアＩＤ付与手順にて付与されたメディアＩＤを、前記のメディア判定手段が判断したメディアドライブの種別とともにメディア管理データベースへ蓄積するメディアＩＤ蓄積手順と、
前記のファイル冗長化手順にてファイルを冗長化する場合に当該ファイルを特定するためのファイル情報を前記のファイル管理データベースへ蓄積するファイル情報蓄積手順と、
当該ファイルが冗長化されたメディアを特定するためのメディアＩＤを前記のファイル情報へ紐付けるファイル情報紐付け手順と、
をファイルおよびメディア管理装置に実行させることとしたコンピュータプログラム。
【請求項６】
コードが予め付与されているメディアの当該コードを読み取るコードリーダを前記のファイルおよびメディア管理装置が備えている場合において、
前記のメディアＩＤ付与手順は、前記のコードリーダが読み取ったコードがユニークであるか否かを前記のメディア管理データベースへアクセスして検証してからメディアＩＤを付与することとした請求項５に記載のコンピュータプログラム。
【請求項７】
前記のメディアＩＤをプリントするＩＤプリンタと接続されるプリンタ接続端子を前記のファイルおよびメディア管理装置が備えている場合において、
前記のメディアＩＤ付与手順は、プリントすべきメディアＩＤを前記のプリンタ接続端子へ送信するとともに、送信したメディアＩＤを前記メディア管理データベースへ蓄積することとした請求項５または請求項６のいずれかに記載のコンピュータプログラム。
【手続補正２】
【補正対象書類名】明細書
【補正対象項目名】００１０
【補正方法】変更
【補正の内容】
【００１０】
（第一の発明）
第一の発明は、ファイルを保存するメディア毎にユニークなメディアＩＤを割り当て、そのメディアＩＤを基準としてファイル管理およびメディア管理を実行するファイルおよびメディア管理装置に係る。
ファイル管理のためのデータを格納するファイル管理データベースと、
メディア管理のためのデータを格納するメディア管理データベースと、
ファイルを保存するメディアドライブを前記のメディア管理装置とは別体とするとともに、そのメディアドライブと接続するためのメディアドライブ接続手段と、
そのメディアドライブ接続手段へ接続されたメディアドライブにおけるメディアへユニークなメディアＩＤを付与するメディアＩＤ付与手段と、
前記のメディアドライブ接続手段へ接続されたメディアドライブの種別を判断するメディア判定手段と、
前記のメディアドライブ接続手段を介してファイルを冗長化するためのファイル冗長化手段と、
を備える。
前記のメディア管理データベースは、前記のメディアＩＤ付与手段が付与したメディアＩＤおよび前記のメディア判定手段が判断したメディアドライブの種別を蓄積し、
前記のファイル冗長化手段は、ファイルを冗長化する場合において、当該ファイルを特定するためのファイル情報を前記のファイル管理データベースへ蓄積するとともに、
当該ファイルが冗長化されたメディアを特定するためのメディアＩＤを前記のファイル情報へ紐付けることとした（図３参照）。
【手続補正３】
【補正対象書類名】明細書
【補正対象項目名】００２０
【補正方法】変更
【補正の内容】
【００２０】
（第二の発明）
第二の発明は、ファイルを保存するメディア毎にユニークなメディアＩＤを割り当ててそのメディアＩＤを基準としてファイル管理およびメディア管理を実行するファイルおよびメディア管理装置へインストールされるコンピュータプログラムに係る。
前記のファイルおよびメディア管理装置には、ファイルを保存するメディアドライブを前記のメディア管理装置とは別体とするとともに、そのメディアドライブと接続するためのメディアドライブ接続手段と、そのメディアドライブ接続手段へ接続されたメディアドライブの種別を判断するメディア判定手段と、を備える。
第二の発明に係るコンピュータプログラムは、  ファイル管理のためのデータを格納するファイル管理データベースを構築するファイル管理データベース作成手順と、
メディア管理のためのデータを格納するメディア管理データベースを構築するメディア管理データベース作成手順と、
ファイルを保存するメディアドライブを前記のメディア管理装置とは別体とするとともに、そのメディアドライブと接続するためのメディアドライブ接続手順と、
前記のメディアドライブ接続手段へ接続されたメディアドライブにおけるメディアへメディアＩＤを付与するメディアＩＤ付与手順と、
前記のメディアドライブ接続手段を介してファイルを冗長化するためのファイル冗長化手順と、
前記のメディアＩＤ付与手順にて付与されたメディアＩＤをメディア管理データベースへ蓄積するメディアＩＤ蓄積手順と、
前記のファイル冗長化手順にてファイルを冗長化する場合に当該ファイルを特定するためのファイル情報を前記のファイル管理データベースへ蓄積するファイル情報蓄積手順と、
当該ファイルが冗長化されたメディアを特定するためのメディアＩＤを、前記のメディア判定手段が判断したメディアドライブの種別とともに前記のファイル情報へ紐付けるファイル情報紐付け手順と、
をファイルおよびメディア管理装置に実行させることとしたコンピュータプログラムである。
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
アーカイブファイルを保存するメディア毎にユニークなメディアＩＤを割り当ててそのメディアＩＤを基準としてアーカイブファイル管理およびメディア管理を実行するファイルおよびメディア管理装置であって、
アーカイブファイル管理のためのデータを格納するファイル管理データベースと、
メディア管理のためのデータを格納するメディア管理データベースと、
アーカイブファイルを保存するメディアドライブを前記のメディア管理装置とは別体とするとともに、そのメディアドライブと接続するためのメディアドライブ接続手段と、
そのメディアドライブ接続手段へ接続されたメディアドライブにおけるメディアへユニークなメディアＩＤを付与するメディアＩＤ付与手段と、
前記のメディアドライブ接続手段へ接続されたメディアドライブの種別を判断するメディア判定手段と、
前記のメディアドライブ接続手段を介してアーカイブファイルを冗長化するためのファイル冗長化手段と、
を備え、
前記のメディア管理データベースは、前記のメディアＩＤ付与手段が付与したメディアＩＤおよび前記のメディア判定手段が判断したメディアドライブの種別を蓄積し、
前記のファイル冗長化手段は、アーカイブファイルを冗長化する場合において、当該アーカイブファイルを特定するためのアーカイブファイル情報を前記のファイル管理データベースへ蓄積するとともに、
当該アーカイブファイルが冗長化されたメディアを特定するためのメディアＩＤを前記のファイル情報へ紐付けることとし、
所定のアーカイブファイルを検索する際には、前記のメディアＩＤまたは前記のアーカイブファイル情報に基づいて、格納したメディアを特定した出力をなすこととしたファイルおよびメディア管理装置。
【請求項２】
コードが予め付与されているメディアの当該コードを読み取るコードリーダを備え、
前記のメディアＩＤ付与手段は、前記のコードリーダが読み取ったコードがユニークであるか否かを前記のメディア管理データベースへアクセスして検証してからメディアＩＤを付与することとした請求項１に記載のファイルおよびメディア管理装置。
【請求項３】
前記のメディアＩＤをプリントするＩＤプリンタと接続されるプリンタ接続端子を備え、
前記のメディアＩＤ付与手段は、プリントすべきメディアＩＤを前記のプリンタ接続端子へ送信するとともに、
送信したメディアＩＤを前記メディア管理データベースへ蓄積することとした請求項１または請求項２のいずれかに記載のファイルおよびメディア管理装置。
【請求項４】
前記のメディアドライブ接続手段とは異なるドライブ接続手段を備え、
そのドライブ接続手段へ前記のファイル冗長化手段が冗長化する前のアーカイブファイルを格納するデータ保存手段を接続することとした請求項１から請求項３のいずれかに記載のファイルおよびメディア管理装置。
【請求項５】
アーカイブファイルを保存するメディア毎にユニークなメディアＩＤを割り当ててそのメディアＩＤを基準としてアーカイブファイル管理およびメディア管理を実行するファイルおよびメディア管理装置へインストールされるコンピュータプログラムであって、
前記のファイルおよびメディア管理装置には、アーカイブファイルを保存するメディアドライブを前記のメディア管理装置とは別体として複数備えるとともに、そのメディアドライブと接続するためのメディアドライブ接続手段と、そのメディアドライブ接続手段へ接続されたメディアドライブの種別を判断するメディア判定手段と、を備え、
アーカイブファイル管理のためのデータを格納するファイル管理データベースを構築するファイル管理データベース作成手順と、
メディア管理のためのデータを格納するメディア管理データベースを構築するメディア管理データベース作成手順と、
アーカイブファイルを保存するメディアドライブを前記のメディア管理装置とは別体とするとともに、そのメディアドライブと接続するためのメディアドライブ接続手順と、
前記のメディアドライブ接続手段へ接続されたメディアドライブにおけるメディアへメディアＩＤを付与するメディアＩＤ付与手順と、
前記のメディアドライブ接続手段を介してファイルを冗長化するためのファイル冗長化手順と、
前記のメディアＩＤ付与手順にて付与されたメディアＩＤを、前記のメディア判定手段が判断したメディアドライブの種別とともにメディア管理データベースへ蓄積するメディアＩＤ蓄積手順と、
前記のファイル冗長化手順にてアーカイブファイルを冗長化する場合に当該アーカイブファイルを特定するためのアーカイブファイル情報を前記のファイル管理データベースへ蓄積するファイル情報蓄積手順と、
当該アーカイブファイルが冗長化されたメディアを特定するためのメディアＩＤを前記のアーカイブファイル情報へ紐付けるファイル情報紐付け手順と、
前記のファイル管理データベース作成手順にて構築したファイル管理データベースを複製して、前記のメディアドライブ接続手段へ接続されたメディアドライブを介して複製したファイル管理データベースを保存するファイル管理データベース複製手順と、
前記のメディアＩＤまたは前記のアーカイブファイル情報の検索入力に基づいて格納したメディアを特定する出力をなすアーカイブファイル検索手順と、
をファイルおよびメディア管理装置に実行させることとしたコンピュータプログラム。
【請求項６】
コードが予め付与されているメディアの当該コードを読み取るコードリーダを前記のファイルおよびメディア管理装置が備えている場合において、
前記のメディアＩＤ付与手順は、前記のコードリーダが読み取ったコードがユニークであるか否かを前記のメディア管理データベースへアクセスして検証してからメディアＩＤを付与することとした請求項５に記載のコンピュータプログラム。
【請求項７】
前記のメディアＩＤをプリントするＩＤプリンタと接続されるプリンタ接続端子を前記のファイルおよびメディア管理装置が備えている場合において、
前記のメディアＩＤ付与手順は、プリントすべきメディアＩＤを前記のプリンタ接続端子へ送信するとともに、送信したメディアＩＤを前記メディア管理データベースへ蓄積することとした請求項５または請求項６のいずれかに記載のコンピュータプログラム。
【手続補正２】
【補正対象書類名】明細書
【補正対象項目名】００１０
【補正方法】変更
【補正の内容】
【００１０】
（第一の発明）
第一の発明は、アーカイブファイルを保存するメディア毎にユニークなメディアＩＤを割り当ててそのメディアＩＤを基準としてアーカイブファイル管理およびメディア管理を実行するファイルおよびメディア管理装置に係る。
アーカイブファイル管理のためのデータを格納するファイル管理データベースと、
メディア管理のためのデータを格納するメディア管理データベースと、
アーカイブファイルを保存するメディアドライブを前記のメディア管理装置とは別体とするとともに、そのメディアドライブと接続するためのメディアドライブ接続手段と、
そのメディアドライブ接続手段へ接続されたメディアドライブにおけるメディアへユニークなメディアＩＤを付与するメディアＩＤ付与手段と、
前記のメディアドライブ接続手段へ接続されたメディアドライブの種別を判断するメディア判定手段と、
前記のメディアドライブ接続手段を介してアーカイブファイルを冗長化するためのファイル冗長化手段と、
を備える。
前記のメディア管理データベースは、前記のメディアＩＤ付与手段が付与したメディアＩＤおよび前記のメディア判定手段が判断したメディアドライブの種別を蓄積し、
前記のファイル冗長化手段は、アーカイブファイルを冗長化する場合において、当該アーカイブファイルを特定するためのアーカイブファイル情報を前記のファイル管理データベースへ蓄積し、
当該アーカイブファイルが冗長化されたメディアを特定するためのメディアＩＤを前記のファイル情報へ紐付ける。
所定のアーカイブファイルを検索する際には、前記のメディアＩＤまたは前記のアーカイブファイル情報に基づいて、格納したメディアを特定可能とする。
【手続補正３】
【補正対象書類名】明細書
【補正対象項目名】００２０
【補正方法】変更
【補正の内容】
【００２０】
（第二の発明）
第二の発明は、アーカイブファイルを保存するメディア毎にユニークなメディアＩＤを割り当ててそのメディアＩＤを基準としてアーカイブファイル管理およびメディア管理を実行するファイルおよびメディア管理装置へインストールされるコンピュータプログラムに係る。
前記のファイルおよびメディア管理装置には、アーカイブファイルを保存するメディアドライブを前記のメディア管理装置とは別体として複数備えるとともに、そのメディアドライブと接続するためのメディアドライブ接続手段と、そのメディアドライブ接続手段へ接続されたメディアドライブの種別を判断するメディア判定手段と、を備える。
前記のコンピュータプログラムは、アーカイブファイル管理のためのデータを格納するファイル管理データベースを構築するファイル管理データベース作成手順と、
メディア管理のためのデータを格納するメディア管理データベースを構築するメディア管理データベース作成手順と、
アーカイブファイルを保存するメディアドライブを前記のメディア管理装置とは別体とするとともに、そのメディアドライブと接続するためのメディアドライブ接続手順と、
前記のメディアドライブ接続手段へ接続されたメディアドライブにおけるメディアへメディアＩＤを付与するメディアＩＤ付与手順と、
前記のメディアドライブ接続手段を介してファイルを冗長化するためのファイル冗長化手順と、
前記のメディアＩＤ付与手順にて付与されたメディアＩＤを、前記のメディア判定手段が判断したメディアドライブの種別とともにメディア管理データベースへ蓄積するメディアＩＤ蓄積手順と、
前記のファイル冗長化手順にてアーカイブファイルを冗長化する場合に当該アーカイブファイルを特定するためのアーカイブファイル情報を前記のファイル管理データベースへ蓄積するファイル情報蓄積手順と、
当該アーカイブファイルが冗長化されたメディアを特定するためのメディアＩＤを前記のアーカイブファイル情報へ紐付けるファイル情報紐付け手順と、
前記のファイル管理データベース作成手順にて構築したファイル管理データベースを複製して、前記のメディアドライブ接続手段へ接続されたメディアドライブを介して複製したファイル管理データベースを保存するファイル管理データベース複製手順と、
前記のメディアＩＤまたは前記のアーカイブファイル情報の検索入力に基づいて格納したメディアを特定する出力をなすアーカイブファイル検索手順と、
をファイルおよびメディア管理装置に実行させるコンピュータプログラムである。
【国際調査報告】
2017164263.tif 000020
2017164263.tif 000021